(57)【要約】【課題】  使用者のための手動セットアップが簡単に実行でき、誤セットアップが十二分に避けられる方法を提供する。【解決手段】  機器の運転に必要なセットアップ・ステップを有するリストが生成され（ステップ２）、必要なセットアップ・ステップのための順序が確定され、セットアップ・ステップの代替のセットアップ可能性が順序に相応して印付けられ、表示媒体上に順序のマーキングと同時に種々のセットアップ・ステップが表示され（ステップ３）、セットアップ・ステップの実行後、必要なセットアップ・ステップを有する現実化されるリストが生成され、必要なセットアップ・ステップの順序が確定されディスプレイ上に表示される（ステップ４）。【選択図】図１
2005261948.tif 000002
【特許請求の範囲】
【請求項１】
機器の運転に必要なセットアップ・ステップを確定及び表示するための方法において、
・機器の運転に必要なセットアップ・ステップを有するリストが生成される、
・必要なセットアップ・ステップのための順序が確定され、セットアップ・ステ  ップの代替のセットアップ可能性が順序に相応して印付けられる、
・表示媒体上に順序のマーキングと同時に種々のセットアップ・ステップが表示  される、
・セットアップ・ステップの１つの実行後、必要なセットアップ・ステップを有  する現実化されるリストが生成され、必要なセットアップ・ステップの順序が  確定されディスプレイ上に表示される
各ステップを含むことを特徴とする機器の運転に必要なセットアップ・ステップの確定及び表示方法。
【請求項２】
・セットアップ・ステップの実行後、少なくとも１つの確定されたセットアップ  パラメータがデータバンクに記憶され、
・データバンクから必要なセットアップ・ステップを有するリストの生成後、セ  ットアップ・ステップが既に実行されたかどうか、また新たな実行が必要かど  うかが調べられる
ことを特徴とする請求項１記載の方法。
【請求項３】
なお実行すべきセットアップ・ステップに対してのみ順序が確定され、表示媒体上に表示されることを特徴とする請求項２記載の方法。
【請求項４】
使用者が運転モードを選択することを特徴とする請求項１〜３のいずれか１つに記載の方法。
【発明の詳細な説明】
【技術分野】
【０００１】
本発明は、機器の運転に必要なセットアップ・ステップを確定及び表示するための方法に関する。
【背景技術】
【０００２】
多くの機器はその運転の前にセットアップを実行することを必要とする。このことは特に撮像診断装置において当て嵌まる。即ち例えば磁気共鳴装置を用いて検査を行う前に、各運転モードに合わせるためにセットアップが必要である。その際一般に、診断装置により自動的に実行され得る多数の種々のセットアップ・ステップが必要である。しかしながら特殊の運転モード、例えば治療、研究又はスペクトロスコピーのためには、各使用者がセットアップ・ステップを手動的にも実行し得ることが望ましい。その際多数の異なるセットアップ・ステップの複雑な相互作用によって誤セットアップに至り、この誤セットアップは必要なセットアップの改めての自動的実行によって診断装置を調整することになる。例えば磁気共鳴装置の磁界不均質性が調整されるいわゆるシム・セットアップ後、共鳴周波数のセットアップが、シム・セットアップの前に既に行われている場合でもしばしば必要である。使用者がこの場合共鳴周波数の新たなセットアップの必要性を見落とすと、磁気共鳴装置は測定前に必要なセットアップ・ステップを自動的に行う。このことは時間がかかり、使用者によって望まれる、特にテスト目的に適合したセットアップの目標が得られない。
【０００３】
機器の印刷された操作手引きには一般にセットアップ・ステップも説明されている。例として液晶カラーモニターの操作手引きが指摘される（例えば、非特許文献１参照）。この操作手引きには可能なセットアップ・ステップが順次記載され説明されている。従って利用者はカラーモニターそのもののセットアップを実行することが可能である。このような簡単なセットアップに対しては、印刷された操作手引きは申し分ないものである。磁気共鳴装置の上述の場合には、印刷された操作手引きに基づくセットアップは極めて費用がかかる。何故なら可能なセットアップ・ステップの数がカラーモニターに比して著しく高く、個々のセットアップ・ステップ間に既に述べた関係が存在するからである。
【非特許文献１】液晶カラーモニター「FlexScanR」L367（Eizo社）の操作手引き（2002年、22〜28頁）
【発明の開示】
【発明が解決しようとする課題】
【０００４】
本発明の課題は、使用者のための手動セットアップが簡単に実行でき、誤セットアップが十二分に避けられる方法を提供することにある。
【課題を解決するための手段】
【０００５】
この課題は、機器の運転に必要なセットアップ・ステップを有するリストが生成され、必要なセットアップ・ステップのための順序が確定され、セットアップ・ステップの代替のセットアップ可能性が順序に相応して印付けられ、表示媒体上に順序のマーキングと同時に種々のセットアップ・ステップが表示され、セットアップ・ステップの１つの実行後、必要なセットアップ・ステップを有する現実化されたリストが生成され、必要なセットアップ・ステップの順序が確定されディスプレイ上に表示される、各ステップを含む方法により解決される。セットアップ・ステップを実行するための必要性は多数の事情によって生じ得る。例えば、磁気共鳴装置による検査中に、異なる運転パラメータを必要とする種々の検査法が投入されることがありうる。そうして患者の複数の個所で検査を、場合によっては種々の受信コイルにより実行することができる。この場合、磁気共鳴装置の新たなセットアップが必要となろう。同様に、既に述べたように、スペクトロスコピー又は治療のような特殊の運転モードの際特別の調整が必要なことがありうる。この場合セットアップ・ステップの手動による実行が容易であることが特に重要である。運転、例えば特殊な診断モードのために必要なセットアップ・ステップ及びそれに属するセットアップ可能性のリストを表示媒体上に表示することによって、使用者は簡単な仕方で各実行すべきセットアップ・ステップを選択し、所属のセットアップ可能性を実行することができる。実行すべきセットアップ・ステップの順序の確定及び表示は、セットアップ・プロセスを通して使用者を導き、設定されたセットアップ・ステップ以外のセットアップ・ステップを実行する可能性を同時に使用者に与える。特に磁気共鳴装置においては、二・三のセットアップ・ステップに対し複数のセットアップ可能性が存在する。従ってシム・セットアップは例えば３Ｄシム又は相互作用シムにより実行することができる。この場合、対応するセットアップ可能性が順序の同じ場所に、例えば両者が番号“２”をもって、現われる。このことは使用者にリストの観察の際、どのセットアップ可能性を各セットアップ・ステップに対し使用者が持つかを直接表示する。セットアップ・ステップの１つを各実行後、なお実行すべきセットアップ・ステップの現実化されたリストが作られる。同様にセットアップ・ステップの順序が新たに決定され、両者が表示媒体上に表示される。このことは異なるセットアップ・ステップの複雑な相互作用を考慮し、セットアップの手動による実行の誤りやすさを著しく低減する。既に述べたように、セットアップ・ステップの実行後、既に実行されたセットアップ・ステップを繰り返すことが必要な場合もあり得る。
【発明を実施するための最良の形態】
【０００６】
有利に実行される方法においては、セットアップ・ステップの実行の際決定されたセットアップ・パラメータがデータバンクに記憶される。それによって、リストの生成の際考慮し得る各セットアップ・ステップの状態を使用することができる。さらに、リストの生成後、可能な各セットアップ・ステップの状態を保持するデータバンクが確かめられる。それによって、例えば以前の運転において、既に成功裡に実行されたセットアップ・ステップは実行すべきセットアップにおいて省かれ得る。生成されたリストにおいては、相応するセットアップ・ステップは既に実行されたものと印付けされる。
【実施例】
【０００７】
次に本発明の利点及び詳細について、図面に示す実施例により説明する。
【０００８】
図において、特殊な運転モード１の選択を出発点として、ステップ２において各運転モードに対し必要なすべてのセットアップ・ステップＡ[ｉ]のリストが生成される。その際変数ｉは個々のセットアップ・ステップＡ[ｉ]の番号付けのために用いられ、そのステップにおいては概略的に示されたリストはｉ∈[ｉ、…、25]であるとする。セットアップ・ステップＡ[ｉ]を実行するために、場合によってはそれに代えて実行し得る複数のセットアップ可能性Ｓ[ｊ]が問題になる。パラメータｊは再びセットアップ・ステップＡ[ｉ]に対し代替のセットアップ可能性Ｓ[ｊ]の番号付けに用いられる。既に述べたように、例えば磁気共鳴装置のセットアップ・ステップ「シム・セットアップ」において、磁界不均質性の調整のために３Ｄシム（例えばＳ[１]）及び相互作用シム（例えばＳ[２]）が可能である。生成されたリストは、既に成功裡に実行され新たに実行する必要のないセットアップ・ステップＡ[ｉ]の特徴付けを含む。このことは、ここでは示されていないデータバンクの聞き出しによって達成され、そのデータバンクはセットアップ・ステップＡ[ｉ]の状態を保持する。セットアップ可能性Ｓ[ｊ]を使用して既に行われた各セットアップ・ステップＡ[ｉ]の実行において用いられたセットアップ・パラメータＳ[ｊ].Ｐ、従って例えばシムコイルの調節も、データバンクに保持されており、生成されたリストにおいて各セットアップ・ステップＡ[ｉ]に属せしめられる。
【０００９】
ステップ３では、リストのすべてのセットアップ・ステップＡ[ｉ]に対するループにおいてステップ３ａで、それらのステップが既に実行されたかどうかが調べられる。実行されている場合には、各セットアップ・ステップＡ[ｉ]の実行のために問題になるすべてのセットアップ可能性Ｓ[ｊ]がステップ３ｂで必要なしと印付けされ、それらに対応するセットアップ・パラメータＳ[ｊ].Ｐが属せしめられる。同時に各セットアップ可能性Ｓ[ｊ]に属する順序パラメータＳ[ｊ].ｒが値“０”にセットされる。セットアップ・ステップＡ[ｉ]がなお実行されなかったものであるか又は新たに実行すべきものである場合には、問題になるすべてのセットアップ可能性Ｓ[ｊ]がステップ３ｃで必要なものと印付けされる。さらに各セットアップ可能性Ｓ[ｊ]に順序パラメータＳ[ｊ].ｒが属せしめられ、このパラメータは代替のセットアップ可能性Ｓ[ｊ]に対し同じ値を持つ。これに基づいてステップ３ｄで順序パラメータＳ[ｊ].ｒが値“１”だけ高められる。ステップ３ｅでは、リストのすべてのセットアップ・ステップＡ[ｉ]が既になし終えられたかどうかが調べられる。そうである場合にはループは終了される。そうでない場合にはリストの次のセットアップ・ステップＡ[ｉ＋１]が続行される。そうしてリストの各セットアップ・ステップＡ[ｉ]は属される順序パラメータＳ[ｊ].ｒを得て、このパラメータに基づいて種々のセットアップ・ステップＡ[ｉ]の順序が確定される。さらにセットアップ・ステップＡ[ｉ]の代替のセットアップ可能性Ｓ[ｊ]は同じ順序パラメータＳ[ｊ].ｒを得る。実行すべきでないセットアップ・ステップＡ[ｉ]は順序には現われない。何故ならそれに属される順序パラメータＳ[ｊ].ｒは値“０”を有するからである。
【００１０】
ループ内のリストのすべてのセットアップ・ステップＡ[ｉ]が調べられた後、ステップ４において、選択された運転モードに関係するすべてのセットアップ可能性Ｓ[ｊ]のここでは概略的に示されたリスト５が生成される。ステップ６において、リスト５は使用者にとって使用可能な形で、例えば直接セットアップ・パラメータＳ[ｊ].Ｐの実行及び調整のための可能性をもって表示媒体上に表示され、順序パラメータＳ[ｊ].ｒに相応して順序に印付けされる。順序パラメータＳ[ｊ].ｒが“０”にセットされているセットアップ可能性Ｓ[ｊ]は既に実行されており、それに応じた印付けされている。そうして使用者は、どのセットアップ可能性Ｓ[ｊ]がすぐ次に実行されなければならないか、またどの代替手段が提供されているかを容易に知ることができる。使用者はさらに、他の調整を行うために既に実行されたセットアップ可能性Ｓ[ｊ]を新たに実行する可能性を有する。ステップ７におけるセットアップ可能性Ｓ[ｊ]が実行された後、セットアップ可能性Ｓ[ｊ]の実行中に選ばれたセットアップ・パラメータＳ[ｊ].Ｐがステップ８においてデータバンクに記憶される。同時に本方法は再びステップ２における必要なセットアップ・ステップＡ[ｉ]のリストの調整から始まる。何故なら種々のセットアップ可能性Ｓ[ｊ]がそれに複雑な相互作用によりその実行後他のセットアップ・ステップＡ[ｉ]が必要となり得るからである。その場合には新たなリストを生成するため、各セットアップ・ステップＡ[ｉ]に対する現実化された値がデータバンクから求められる。
【図面の簡単な説明】
【００１１】
【図１】本発明の実施例の説明図である。
【符号の説明】
【００１２】
１  運転モード
２  ステップ
３、３ａ、３ｂ、３ｃ、３ｄ、３ｅ  ステップ
４  ステップ
５  リスト
６  ステップ
７  ステップ
８  ステップ
【図１】
2005261948.tif 000003